(57)【特許請求の範囲】
【請求項１】
天井面に設置される照明器具であって、
直管型であり軸方向を前記天井面に沿って保持される照明負荷を１乃至前記軸方向を同一方向にして複数備えるとともに、
床面用透光開口が形成された下面部と、それぞれに壁面用透光開口が形成された１対の側面部と、前記壁面用透光開口のそれぞれと前記床面用透光開口との間に設けられ前記照明負荷から放射された光を遮る１対の遮光部とを有するセードを備え、
前記軸方向から見て、前記壁面用透光開口のそれぞれに対して、前記照明負荷のうち当該壁面用透光開口に最も近くに保持される照明負荷の中心を原点とする第１の鉛直角が下端で９０°以下となり上端で１３５°以上となり、
前記軸方向から見て前記天井面の設置領域の中心を通る鉛直線と前記照明負荷の中心を通る水平線との交点を原点とする第２の鉛直角と、前記照明負荷から放射された光の全光束との関係のうち、
前記第２の鉛直角０°から４５°までの範囲の総光束が前記全光束の３５％以上７０％未満であり、
前記第２の鉛直角４５°から６０°までの範囲の総光束が前記全光束の１０％以下であり、
前記第２の鉛直角６０°から１２０°までの範囲の総光束が前記全光束の３０％以上６５％未満である
ことを特徴とする照明器具。
【請求項２】
前記軸方向から見て、前記照明負荷から放射された光を下方に反射させる下方反射面を当該照明負荷の最上点の水平接線より上方に有する反射部を備えることを特徴とする請求項１記載の照明器具。
【請求項３】
前記下方反射面が水平面であることを特徴とする請求項２記載の照明器具。
【請求項４】
前記反射部が、前記照射負荷から放射された光を側方に反射させる側方反射面を前記下方反射面の前記軸方向に沿った両端から上方に傾斜して有することを特徴とする請求項２記載の照明器具。
【請求項５】
前記軸方向から見て、前記遮光部の最上点が、前記照明負荷の最下点の水平接線より下方にあることを特徴とする請求項１〜４のいずれか記載の照明器具。
【請求項６】
前記セードが、前記照明負荷から放射された光による下方への照射を制御する配光制御部を有することを特徴とする請求項１〜５のいずれか記載の照明器具。
【請求項７】
前記軸方向から見て、前記遮光部が、前記壁面用透光開口を介して放射された光のうち前記照明負荷の最上点の水平接線から２０°以上の角度をなす光を遮断することを特徴とする請求項１〜６のいずれか記載の照明器具。
【請求項８】
前記軸方向から見て、前記側方反射面が、前記照射負荷から放射された光を水平線から２０°以下の角度で反射させることを特徴とする請求項４記載の照明器具。
【発明の詳細な説明】
【技術分野】
【０００１】
本発明は、照明器具に関するものである。
【背景技術】
【０００２】
従来、この種の照明器具は、室内空間の天井面に設置され、室内の一部に対してグレアカットを行いながら全体を照射するものである。一般的には、下方向の開口及び横方向の開口が形成されて配光される照明器具が多く、例えば下方向の開口からランプまでの鉛直距離を短くすることによって器具効率のほとんどを下方光束で確保している。
【０００３】
また、特許文献１には、住宅屋内の天井に設置され鉛直角１０°から６０°までの範囲の総光束を高めるような構成を備える屋内用照明器具が開示されている。
【特許文献１】特開２０００−９０７０８号公報（第３，４頁及び第１図）
【発明の開示】
【発明が解決しようとする課題】
【０００４】
室内空間の明るさ感を向上させるためには、床面照度や天井面照度を確保するだけでなく、壁面照度を確保する必要があることが明らかになっている。
【０００５】
しかしながら、上記従来の照明器具は、壁面を照射する光を確保しにくいものや、壁面を照射する配光を有する器具であったとしても器具効率が悪いものであるので、空間全体の明るさ感を向上させるために多数の照明器具を設置しなければならないという問題があった。
【０００６】
本発明は上記の点に鑑みて為されたものであり、その目的とするところは、壁面照度を効率的に確保して空間の明るさ感を向上させつつ器具効率のよい照明器具を提供することにある。
【課題を解決するための手段】
【０００７】
請求項１に記載の発明は、天井面に設置される照明器具であって、直管型であり軸方向を前記天井面に沿って保持される照明負荷を１乃至前記軸方向を同一方向にして複数備えるとともに、床面用透光開口が形成された下面部と、それぞれに壁面用透光開口が形成された１対の側面部と、前記壁面用透光開口のそれぞれと前記床面用透光開口との間に設けられ前記照明負荷から放射された光を遮る１対の遮光部とを有するセードを備え、前記軸方向から見て、前記壁面用透光開口のそれぞれに対して、前記照明負荷のうち当該壁面用透光開口に最も近くに保持される照明負荷の中心を原点とする第１の鉛直角が下端で９０°以下となり上端で１３５°以上となり、前記軸方向から見て前記天井面の設置領域の中心を通る鉛直線と前記照明負荷の中心を通る水平線との交点を原点とする第２の鉛直角と、前記照明負荷から放射された光の全光束との関係のうち、前記第２の鉛直角０°から４５°までの範囲の総光束が前記全光束の３５％以上７０％未満であり、前記第２の鉛直角４５°から６０°までの範囲の総光束が前記全光束の１０％以下であり、前記第２の鉛直角６０°から１２０°までの範囲の総光束が前記全光束の３０％以上６５％未満であることを特徴とする。
【０００８】
この構成によれば、床面用透光開口及び壁面用透光開口を介して床面、天井面及び壁面方向に対して効率的に光を照射して床面、天井面及び壁面の明るさを確保することができるので、遮光部によって一部の方向への光の照射を抑制しながら、空間全体の明るさ感を確保することができるとともに、器具効率を向上させることができる。この構成によれば、例えば病室のベッド上の患者などに対してグレアを抑制し、照明器具の鉛直下方向の光束を確保しつつ、側方及び斜め上方向を光が照射することで、空間全体の明るさ感を高めることができる。
【０００９】
請求項２に記載の発明は、請求項１に記載の発明において、前記軸方向から見て、前記照明負荷から放射された光を下方に反射させる下方反射面を当該照明負荷の最上点の水平接線より上方に有する反射部を備えることを特徴とする。この構成によれば、照明負荷から上方に放射された光を下方反射面で反射させることができるとともに、照明負荷から壁面方向に放射された光が反射部に衝突させることなく壁面用透光開口を介して壁面を照射することができる。
【００１０】
請求項３に記載の発明は、請求項２に記載の発明において、前記下方反射面が水平面であることを特徴とする。この構成によれば、床面への照射を強めることができるとともに、例えば２灯用器具などの複数の照明負荷を備える照明器具の場合、壁面用透光開口に最も近い照明負荷以外の照明負荷から放射された光を、水平面である下方反射面で反射させることによって、壁面用透光開口を介して壁面への照射を強めることができる。
【００１１】
請求項４に記載の発明は、請求項２に記載の発明において、前記反射部が、前記照射負荷から放射された光を側方に反射させる側方反射面を前記下方反射面の前記軸方向に沿った両端から上方に傾斜して有することを特徴とする。この構成によれば、照明負荷から上方に放射された光のうち一部を下方に反射させ、残部を側方に反射させることができるので、天井面及び壁面の明るさと床面の明るさとのバランスをとることができる。
【００１２】
請求項５に記載の発明は、請求項１〜４のいずれかに記載の発明において、前記軸方向から見て、前記遮光部の最上点が、前記照明負荷の最下点の水平接線より下方にあることを特徴とする。この構成によれば、照明負荷から壁面方向に放射された光が遮光部に衝突することなく壁面用透光開口を介して壁面を照射することができる。
【００１３】
請求項６に記載の発明は、請求項１〜５のいずれかに記載の発明において、前記セードが、前記照明負荷から放射された光による下方への照射を制御する配光制御部を有することを特徴とする。この構成によれば、空間全体の明るさ感を確保し、器具効率を向上させつつ、例えば病室のベッドに横たわっている患者の目線などに光が直接照射されないようにしてグレアを低減することができる。
【００１４】
請求項７に記載の発明は、請求項１〜６のいずれかに記載の発明において、前記軸方向から見て、前記遮光部が、前記壁面用透光開口を介して放射された光のうち前記照明負荷の最上点の水平接線から２０°以上の角度をなす光を遮断することを特徴とする。この構成によれば、空間全体の明るさ感を確保し、器具効率を向上させつつ、例えば空間内で立っている人の目線などに光が直接照射されないようにしてグレアを低減することができる。
【００１５】
請求項８に記載の発明は、請求項４に記載の発明において、前記軸方向から見て、前記側方反射面が、前記照射負荷から放射された光を水平線から２０°以下の角度で反射させることを特徴とする。この構成によれば、空間全体の明るさ感を確保し、器具効率を向上させつつ、例えば空間内で立っている人の目線などに光が直接照射されないようにしてグレアを低減することができる。
【発明の効果】
【００１７】
本発明によれば、遮光部によって一部の方向への光の照射を抑制しながら、床面、天井面及び壁面の明るさを確保することで空間の明るさ感を確保することができるとともに、器具効率を向上させることができる。
【発明を実施するための最良の形態】
【００１８】
（実施形態１）
本発明の実施形態１について図１〜４を用いて説明する。図１〜３は、実施形態１の照明器具の構成を示す図である。図４は実施形態１の照明器具の配光曲線図である。
【００１９】
まず、実施形態１の基本的な構成について説明する。実施形態１の照明器具１は、図１に示すように、２本の直管ランプ（照明負荷）２，２と、灯具３と、反射板４と、セード５とを備えている。この照明器具１は、例えば部屋などの室内空間の天井面６に設置されている。
【００２０】
各直管ランプ２は、図１に示すように、例えば３２Ｗの直管型蛍光灯などであり、点灯装置２０から高周波電力が供給されると点灯し、点灯装置２０からの高周波電力の供給が停止されると消灯する。点灯装置２０は、長方形状の基板に複数の電子部品が半田などで実装されたものであり、入力側で電源（図示せず）と電気的に接続し、出力側で後述の各ソケット３１を介して直管ランプ２と電気的に接続する。基板は例えばプリント基板などである。電源は例えば商用電源などであり、交流電力を点灯装置２０に供給する。
【００２１】
灯具３は、図３に示すように、灯具本体３０と、２対のソケット３１・・・とを備えている。灯具本体３０は、例えば鋼板などの金属材料で細長い箱状に形成されたものであり、天井面６（図１参照）と対向する長方形状の底面部３００と、底面部３００の長手方向に沿った両縁から下方に延設された１対の側面部３０１，３０１と、底面部３００の短手方向に沿った両端に設けられた１対のソケット台３０２，３０２とを備えている。底面部３００には点灯装置２０が設置されている（図１参照）。各側面部３０１は、上部３２０と、下部３２１と、上部３２０と下部３２１の間に設けられた段差部３２２（図１参照）と、下部３２１の下端から下方に延設された断面Ｕ字状の先端部３２３（図１参照）とを備え、高反射白色粉体が塗装されている。各ソケット台３０２は、上部３３０と、上部３３０の外縁から下方に延設された中間部３３１と、中間部３３１の下端から内方に延設された凸状の下部３３２と、下部３３２の内縁から上方に延設された断面Ｌ字状の固定部３３３とを備え、高反射白色粉体が塗装されている。中間部３３１には凹部３３４が形成され、凹部３３４の底面には貫通孔３３５が形成されている。下部３３２の先端には貫通孔３３６が形成されている。固定部３３３の先端には貫通孔３３７が形成されている。各ソケット台３０２は、ねじ（図示せず）が貫通孔３３７に嵌め合わされることによって底面部３００にねじ止め固定される。
【００２２】
２対のソケット３１・・・のそれぞれは、例えばポリプロピレンなどの樹脂で形成され、各ソケット台３０２の下部３３２に設けられている。２対のソケット３１・・・は、図１に示すように、２本の直管ランプ２，２を、軸方向を天井面６に沿って同一方向にして保持している。
【００２３】
反射板４は、図３に示すように、例えば金属材料などで形成されたものであり、長方形状の下方反射面部４０と、下方反射面部４０の長手方向（直管ランプ２の軸方向）に沿った両端から斜め上方に傾斜して延設された１対の長方形状の側方反射面部４１，４１と、下方反射面部４０の短手方向に沿った両縁に設けられた１対の取付部４２，４２とを備えている。この反射板４は、図１に示すように、長手方向（直管ランプ２の軸方向）から見て、下方反射面部４０を各直管ランプ２の最上点の水平接線ａより上方に有するようにして設けられている。このときの直管ランプ２と反射板４の間の寸法は、各部品の製造上の寸法精度が合成された合成寸法精度を考慮して設定され、最悪の合成寸法精度となるような各部品の寸法精度となったとしても、直管ランプ２と反射板４の間にいくらかの隙間ができるように設定されている。
【００２４】
下方反射面部４０は水平面であり、直管ランプ２の軸方向から見て、各直管ランプ２から放射された光を下方に反射させるものである。これにより、下方反射面部４０で反射した光が後述の床面用透光開口５５を介して床面を照射することができる。また、図３に示すように、下方反射面部４０には１対の貫通孔４００，４００が形成されている。反射板４は、図１に示すように、ねじ４３が貫通孔３３６，４００に嵌め合わされることによって灯具３にねじ止め固定される。
【００２５】
１対の側方反射面部４１，４１のそれぞれは、直管ランプ２から放射された光を側方に反射させるものである。これにより、各側方反射面部４１で反射した光が後述の壁面用透光開口５７を介して壁面を照射することができる。このとき、各側方反射面部４１は、直管ランプ２の軸方向から見て、各直管ランプ２から放射された光を水平線から２０°以下の角度で反射させている。各取付部４２は、図３に示すように、下方反射面部４０の短手方向に設けられた底面部４２０と、底面部４２０から各側方反射面部４１に向かって設けられた１対の側面部４２１，４２１とを備えている。底面部４２０には１対の長方形状の貫通孔４２２，４２２が形成されている。各貫通孔４２２にはソケット３１が挿入される。
【００２６】
セード５は、図１に示すように、１対の遮光部５０，５０と、１対の第１の配光制御部５１，５１と、中央近傍に長手方向に沿って設けられた第２の配光制御部５２とを備えているとともに、図３に示すように、遮光部５０間を接続する１対の両端部５３，５３と、各両端部５３の上方に設けられた１対の接合部５４，５４とを備えている。つまり、上記セード５は、図２に示すように、床面用透光開口５５が形成された下面部５６と、それぞれに壁面用透光開口５７が形成された１対の側面部５８と、壁面用透光開口５７のそれぞれと床面用透光開口５５との間に設けられた１対の遮光部５０とを備えていることになる。壁面用透光開口５７のそれぞれは、図１に示すように、直管ランプ２の軸方向から見て、直管ランプ２のうち上記壁面用透光開口５７に最も近くに保持されている直管ランプ２の中心を原点とする第１の鉛直角が下端で９０°以下となり上端で１３５°以上となるように形成されている。
【００２７】
各遮光部５０は、図３に示すように、例えば金属材料や樹脂などで断面Ｌ字状に形成されたものであり、長方形状の側面部５００と、側面部５００の下端から内方に延設された下面部５０１とを一体に備えている。各遮光部５０は、図１に示すように、各直管ランプ２から放射された光を遮る。特に、各遮光部５０は、直管ランプ２の軸方向から見て、壁面用透光開口５７を介して放射された光のうち直管ランプ２の最上点の水平接線から２０°以上の角度をなす光を遮断する。
【００２８】
第１の配光制御部５１，５１のそれぞれは、例えば金属材料や樹脂などで断面コ字状に形成され、遮光部５０に対向して内側に設けられたものであり、長方形状の側面部５１０と、側面部５１０の上端から外方に延設された上面部５１１と、側面部５１０の下端から外方に延設された下面部５１２とを一体に備えている。第１の配光制御部５１，５１のそれぞれは、下面部５０１，５１２を接合することによって遮光部５０に接合されている。第２の配光制御部５２は、例えば金属材料や樹脂などで断面Ｖ字状に形成されたものであり、左面部５２０と、右面部５２１とを一体に備えている。第１の配光制御部５１及び第２の配光制御部５２は、各直管ランプ２から放射された光による下方への照射を制御する。具体的には、直管ランプ２の軸方向から見て、直管ランプ２から放射された光のうち直管ランプ２の接線から４５°未満の角度をなす光を遮断する。
【００２９】
両端部５３は、図３に示すように、例えば金属材料や樹脂などで形成されたものである。また、各接合部５４は、例えば金属材料や樹脂などで形成されたものであり、底面部５４０と、底面部５４０の上下方向に沿った両縁から内方に延設された１対の側面部５４１とを一体に備えている。底面部５４０には貫通孔５４２が形成されている。上記セード５は、ねじ（図示せず）が貫通孔３３５，５４２に挿入されることによって灯具３にねじ止め固定される。
【００３０】
次に、実施形態１の照明器具１における光の照射について図４を用いて説明する。照明器具１の配光は、図４に示すように、鉛直角０°から４５°までの範囲で全光束の４７％であり、鉛直角６０°から１２０°までの範囲で全光束の３３％である。これに対して、鉛直角４５°から６０°までの範囲では全光束の６％である。また、器具効率は、上方光束が２８％であり、下方光束が５４％であり、合計が８２％と高い。
【００３１】
以上、実施形態１によれば、セード５の床面用透光開口５５及び壁面用透光開口５７を介して床面、天井面６及び壁面方向に対して効率的に光を照射して床面、天井面６及び壁面の明るさを確保することができるので、遮光部５０によって一部の方向への光の照射を抑制しながら、空間全体の明るさ感を確保することができるとともに、器具効率を向上させることができる。
【００３２】
各直管ランプ２から上方に放射された光のうち一部を下方反射面部４０で下方に反射させ、残部を側方反射面部４１で側方に反射させることができるので、天井面６及び壁面の明るさと床面の明るさとのバランスをとることができる。また、反射板４の下方反射面部４０が、直管ランプ２の軸方向から見て、直管ランプ２の最上点の水平接線ａより上方に設けられているので、各直管ランプ２から上方に放射された光を下方反射面部４０で反射させることができるとともに、各直管ランプ２から壁面方向に放射された光が反射板４に衝突させることなく壁面用透光開口５７を介して壁面を照射することができる。さらに、下方反射面部が水平面であるので、床面への照射を強めることができるとともに、壁面用透光開口５７から離れた直管ランプ２から放射された光を下方反射面（水平面）で反射させることによって、壁面用透光開口５７を介して壁面への照射を強めることができる。
【００３３】
（実施形態２）
本発明の実施形態２について図５を用いて説明する。図５は、照明器具が設置された病室を示す図である。
【００３４】
実施形態２は、図５に示すように、実施形態１の照明器具１が４床用の病室６０の中央通路部天井面６に設置された形態である。実施形態２の病室６０は、間口が５．５ｍ〜６ｍ、床面６１から天井面６までの高さが約２．６ｍの一般的な病室である。この病室６０には壁面６２，６２に沿って４床のベッド６３，６３が置かれ、各ベッド６３には患者６４が横たわっている。ベッド６３の高さは約６０ｃｍである。
【００３５】
実施形態２では、病室６０を、器具直下方向領域６５、患者方向領域６６及び器具水平方向領域６７の３領域に分割し、領域ごとに必要な光束を設定する。つまり、器具直下方向領域６５を鉛直角０°から４５°までの範囲とし、患者方向領域６６を鉛直角４５°から６０°までの範囲とし、器具水平方向領域６７を鉛直角６０°から１２０°までの範囲とする。また、実施形態２では、照明器具１の第１の配光制御部５１及び第２の配光制御部５２によって、横たわっている患者６４の目線に近い４５°の角度にグレアカット角が設定されている。
【００３６】
ここで、病室全体の明るさ感を高めるとともに患者６４への照明器具１からのグレアを抑制するために、天井面６及び壁面６２，６２の輝度や照度が高いこと、ＵＧＲ値が患者６４の視点で１９以下であることを必要とする。なお、ＵＧＲ値とは、国際照明委員会（ＣＩＥ）が定める照明器具からの不快グレアの制限値であり、病室では１９とされている。実施形態２において、ＵＧＲ値は１８．７であり、グレアを適切に制限している。
【００３７】
実施形態２では、直管ランプ２の軸方向から見て、天井面６の設置領域の中心を通る鉛直線と各直管ランプ２の中心を通る水平線との交点を原点とする第２の鉛直角と、各直管ランプ２から放射された光の全光束との関係のうち、第２の鉛直角０°から４５°までの範囲の総光束が全光束の３５％以上７０％未満であり、第２の鉛直角４５°から６０°までの範囲の総光束が全光束の１０％以下であり、第２の鉛直角６０°から１２０°までの範囲の総光束が全光束の３０％以上６５％未満である。
【００３８】
以上、実施形態２によれば、照明器具１の第１の配光制御部５１及び第２の配光制御部５２によって、病室６０のベッド６３に横たわっている患者６４の目線などに光が直接照射されないようにグレアを抑制し、各直管ランプ２の鉛直下方向の光束を確保しつつ、側方及び斜め上方向を光が照射することで、病室全体の明るさ感を高めることができる。
【００３９】
（実施形態３）
本発明の実施形態３について図６を用いて説明する。図６は、照明器具が設置された病室を示す図である。
【００４０】
実施形態３は、図６に示すように、実施形態１の照明器具１が４床用の病室６０の中央通路部天井面６に設置された形態である。実施形態３の病室６０は、間口が５．５ｍ〜６ｍ、床面６１から天井面６までの高さが約２．６ｍの一般的な病室である。この病室６０に患者（例えば身長１ｍ７０ｃｍ、目線の高さ１ｍ６５ｃｍ）６４が立っている。実施形態３では、照明器具１の遮光部５０及び側方反射面部４１（図１参照）によって、立っている患者６４の目線とのなす２０°の角度にグレアカット角が設定されている。
【００４１】
以上、実施形態３によれば、病室全体の明るさ感を確保し、器具効率を向上させつつ、照明器具１の遮光部５０及び側方反射面部４１（図１参照）によって、病室６０内で立っている患者６４の目線などに光が直接照射されないようにしてグレアを低減することができる。
【００４２】
（実施形態４）
本発明の実施形態４について図７を用いて説明する。図７は実施形態４の照明器具の断面図である。なお、図７ではソケット台が省略されている。
【００４３】
実施形態４の照明器具１ａは、図７に示すように、２本の直管ランプ２，２と、灯具３と、反射板４と、セード５とを、実施形態１の照明器具１（図１参照）と同様に備えているが、実施形態１の照明器具１にはない以下に記載の特徴部分を有する。
【００４４】
実施形態４の照明器具１ａは、実施形態１の反射板４に代えて、図７に示すような反射板４ａを備えている。反射板４ａは、下面反射面部４０ａと、下面反射面部４０ａの長手方向の両端から上方に延設された１対の側面部４４，４４とを備えている。下面反射面部４０ａには長手方向に沿って２つの凹部４０１，４０１が長手方向に沿って形成されている。上記反射板４ａは、長手方向から見て、最下点を通る水平線が直管ランプ２の最上点の水平接線ａよりも上方にある。このときの直管ランプ２と反射板４ａの間の寸法は、各部品の製造上の寸法精度が合成された合成寸法精度を考慮して設定され、最悪の合成寸法精度となるような各部品の寸法精度となったとしても、直管ランプ２と反射板４ａの間にいくらかの隙間ができるように設定されている。なお、反射板４ａは、上記以外の点において実施形態１の反射板４（図１参照）と同様である。
【００４５】
以上、実施形態４によれば、反射板４ａの下方反射面部４０ａが、直管ランプ２の軸方向から見て、直管ランプ２の最上点の水平接線より上方に設けられているので、実施形態１と同様に、各直管ランプ２から上方に放射された光を下方反射面部４０ａで反射させることができるとともに、各直管ランプ２から壁面方向に放射された光が反射板４ａに衝突させることなく壁面用透光開口５７を介して壁面を照射することができる。
【００４６】
（実施形態５）
本発明の実施形態５について図８を用いて説明する。図８は実施形態５の照明器具の断面図である。なお、図８ではソケット台が省略されている。
【００４７】
実施形態５の照明器具１ｂは、図８に示すように、２本の直管ランプ２，２と、灯具３と、セード５とを、実施形態１の照明器具１（図１参照）と同様に備えているが、実施形態１の照明器具１にはない以下に記載の特徴部分を有する。
【００４８】
実施形態５の照明器具１ｂは、実施形態１の反射板４に代えて、図８に示すような反射板４ｂを備えている。反射板４ｂは、下面反射面部４０ｂと、下面反射面部４０ｂの長手方向の両縁から延設された１対の側方反射面部４１ｂ，４１ｂとを備えている。側方反射面部４１ｂ，４１ｂのそれぞれは、壁面用透光開口５７を介して光が壁面に向かって放射されるようなパラボラ形状で形成されている。これにより、直管ランプ２から放射され側方反射面部４１ｂで反射した光が、壁面用透光開口５７を介して壁面を照射することができる。なお、反射板４ｂは、上記以外の点において実施形態１の反射板４（図１参照）と同様である。
【００４９】
以上、実施形態５によれば、各直管ランプ２から上方に放射された光のうち一部を下方反射面部４０ｂで下方に反射させ、残部を側方反射面部４１ｂで側方に反射させることができるので、実施形態１と同様に、天井面６及び壁面の明るさと床面の明るさとのバランスをとることができる。
【００５０】
（実施形態６）
本発明の実施形態６について図９を用いて説明する。図９は実施形態６の照明器具の断面図である。なお、図９ではソケット台が省略されている。
【００５１】
実施形態６の照明器具１ｃは、図９に示すように、２本の直管ランプ２，２と、灯具３と、反射板４とを、実施形態１の照明器具１（図１参照）と同様に備えているが、実施形態１の照明器具１にはない以下に記載の特徴部分を有する。
【００５２】
実施形態６の照明器具１ｃは、実施形態１のセード５に代えて、図９に示すようなセード５ａを備えている。実施形態６のセード５ａにおいて、遮光部５０ａの最上面は、長手方向から見て、直管ランプ２の最下点の水平接線ｂより下方となるように設けられている。このときの直管ランプ２と遮光部５０ａの間の寸法は、各部品の製造上の寸法精度が合成された合成寸法精度を考慮して設定され、最悪の合成寸法精度となるような各部品の寸法精度となったとしても、直管ランプ２と遮光部５０ａの間にいくらかの隙間ができるように設定されている。なお、セード５ａは、上記以外の点において実施形態１のセード５（図１参照）と同様である。
【００５３】
以上、実施形態６によれば、各直管ランプ２から壁面方向に放射された光が遮光部５０ａに衝突することなく壁面用透光開口５７を介して壁面を照射することができる。
【００５４】
（実施形態７）
本発明の実施形態７について図１０〜１３を用いて説明する。図１０〜１２は、実施形態７の照明器具の構成を示す図である。図１３は実施形態７の照明器具の配光曲線図である。
【００５５】
まず、実施形態７の基本的な構成について説明する。実施形態７の照明器具１ｄは、図１０に示すように、１本の直管ランプ２と、灯具３ａと、反射板４ｃと、セード５ｂとを備えている。この照明器具１ｄは、実施形態１の照明器具１（図１参照）と同様に、室内空間の天井面６に設置されている。なお、直管ランプ２は実施形態１の直管ランプと同様である。
【００５６】
灯具３ａは、図１２に示すように、灯具本体３０ａと、１対のソケット３１，３１とを備えている。灯具本体３０ａは、実施形態１の底面部３００（図３参照）より幅の狭い長方形状の底面部３００ａと、１対の側面部３０１ａ，３０１ａと、実施形態１のソケット台３０２（図３参照）より幅の狭い１対のソケット台３０２ａ，３０２ａとを備えている。各ソケット３１は、ソケット台３０２の下部に設けられ、図１０に示すように、直管ランプ２を、軸方向を天井面６に沿って保持している。なお、灯具３ａは、上記以外の点において実施形態１の灯具３（図３参照）と同様である。
【００５７】
反射板４ｃは、図１２に示すように、実施形態１の下方反射面部４０（図３参照）より幅の狭い長方形状の下方反射面部４０ｃと、下方反射面部４０ｃの長手方向（直管ランプ２の軸方向）に沿った両端から斜め上方に傾斜して延設された１対の長方形状の側方反射面部４１ｃと、側方反射面部４１ｃの上端から上方に延設された側面部４４ｃと、下方反射面部４０ｃの短手方向に沿った両縁に設けられた１対の取付部４２ｃ，４２ｃとを備えている。なお、反射板４ｃは、上記以外の点において実施形態１の反射板４（図３参照）と同様である。
【００５８】
セード５ｂは、１対の遮光部５０ｂ，５０ｂと、１対の第１の配光制御部５１ｂと、実施形態１の両端部５３（図３参照）より幅の狭い１対の両端部５３ｂ，５３ｂと、実施形態１の接合部５４（図３参照）より幅の狭い１対の接合部５４ｂ，５４ｂとを備えている。つまり、上記セード５は、床面用透光開口５５が形成された下面部と、それぞれに壁面用透光開口５７が形成された１対の側面部と、壁面用透光開口５７のそれぞれと床面用透光開口５５との間に設けられた１対の遮光部５０とを備えていることになる。なお、セード５ｂは、上記以外の点において実施形態１のセード５（図３参照）と同様である。
【００５９】
次に、実施形態７の照明器具１ｄにおける光の照射について図１３を用いて説明する。照明器具１ｄの配光は、図１３に示すように、鉛直角０°から４５°までの範囲で全光束の３９％であり、鉛直角６０°から１２０°までの範囲で全光束の２７％である。これに対して、鉛直角４５°から６０°までの範囲では全光束の４％である。また、器具効率は、上方光束が３９％であり、下方光束が４２％であり、合計が８１％と高い。
【００６０】
以上、実施形態７によれば、１本の直管ランプ２の場合であっても、実施形態１と同様の効果を得ることができる。
【００６１】
（実施形態８）
本発明の実施形態８について図１４を用いて説明する。図１４は、照明器具が設置された病室を示す図である。
【００６２】
実施形態８は、図１４に示すように、実施形態７の照明器具１ｄが病室６０ａに設置された形態である。実施形態８の病室６０ａは、間口が約３．２ｍ、床面６１ａから天井面６ａまでの高さが約２．６ｍの一般的な病室である。この病室６０ａにはベッド６３が置かれ、ベッド６３には患者６４が横たわっている。ベッド６３の高さは約６０ｃｍである。
【００６３】
実施形態８では、病室６０ａを、器具直下方向領域６５ａ、患者方向領域６６ａ及び器具水平方向領域６７ａの３領域に分割し、領域ごとに必要な光束を設定する。つまり、器具直下方向領域６５ａを鉛直角０°から４５°までの範囲とし、患者方向領域６６ａを鉛直角４５°から６０°までの範囲とし、器具水平方向領域６７ａを鉛直角６０°から１２０°までの範囲とする。また、実施形態８では、照明器具１ｄの第１の配光制御部５１ｂによって、横たわっている患者６４の目線に近い４５°の角度にグレアカット角が設定されている。
【００６４】
ここで、病室全体の明るさ感を高めるとともに患者への照明器具１からのグレアを抑制するために、天井面６ａ及び壁面６２ａ，６２ａの輝度や照度が高いこと、ＵＧＲ値が患者６４の視点で１９以下であることを必要とする。
【００６５】
実施形態８では、直管ランプ２の軸方向から見て、天井面６ａの設置領域の中心を通る鉛直線と各直管ランプ２の中心を通る水平線との交点を原点とする第２の鉛直角と、各直管ランプ２から放射された光の全光束との関係のうち、第２の鉛直角０°から４５°までの範囲の総光束が全光束の３５％以上７０％未満であり、第２の鉛直角４５°から６０°までの範囲の総光束が全光束の１０％以下であり、第２の鉛直角６０°から１２０°までの範囲の総光束が全光束の３０％以上６５％未満である。
【００６６】
以上、実施形態８によれば、照明器具１ｄの第１の配光制御部５１ｂによって、病室６０ａのベッド６３に横たわっている患者６４の目線などに光が直接照射されないようにグレアを抑制し、直管ランプ２の鉛直下方向の光束を確保しつつ、側方及び斜め上方向を光が照射することで、病室全体の明るさ感を高めることができる。
【００６７】
（実施形態９）
本発明の実施形態９について図１５を用いて説明する。図１５は実施形態９の照明器具の断面図である。
【００６８】
実施形態９の照明器具１ｅは、図１５に示すように、１本の直管ランプ２と、灯具３ａと、反射板４ｃとを、実施形態７の照明器具１ｄ（図１０参照）と同様に備えているが、実施形態７の照明器具１にはない以下に記載の特徴部分を有する。
【００６９】
実施形態９の照明器具１ｅは、実施形態７のセード５ｂに代えて、図１５に示すようなセード５ｃを備えている。セード５ｃには、実施形態７の壁面用透光開口５７に代えて、壁面用透光開口５７ａが形成されている。壁面用透光開口５７ａのそれぞれは、直管ランプ２の軸方向から見て、直管ランプ２の中心を原点とする第１の鉛直角が下端で７５°となり上端で１５０°となるように形成されている。なお、セード５ｃは、上記以外の点において実施形態７のセード５ｂ（図１２参照）と同様である。
【００７０】
以上、実施形態９によれば、壁面と床面の明るさを確保することができ、空間の明るさ感を確保しつつ器具効率を向上させることができる。
【図面の簡単な説明】
【００７１】
【図１】本発明による実施形態１の照明器具の断面図である。
【図２】同上の照明器具の外観斜視図である。
【図３】同上の照明器具の分解斜視図である。
【図４】同上の照明器具の配光曲線図である。
【図５】本発明による実施形態２の照明器具が設置された病室に人が寝ている場合の図である。
【図６】本発明による実施形態３の照明器具が設置された病室に人が立っている場合の図である。
【図７】本発明による実施形態４の照明器具の断面図である。
【図８】本発明による実施形態５の照明器具の断面図である。
【図９】本発明による実施形態６の照明器具の断面図である。
【図１０】本発明による実施形態７の照明器具の断面図である。
【図１１】同上の照明器具の外観斜視図である。
【図１２】同上の照明器具の分解斜視図である。
【図１３】同上の照明器具の配光曲線図である。
【図１４】本発明による実施形態８の照明器具が設置された病室に人が寝ている場合の図である。
【図１５】本発明による実施形態９の照明器具の断面図である。
【符号の説明】
【００７２】
２  直管ランプ
５  セード
５０  遮光部
５５  床面用透光開口
５７  壁面用透光開口
【図１】
0004720582.tif 000002
【図２】
0004720582.tif 000003
【図３】
0004720582.tif 000004
【図４】
0004720582.tif 000005
【図５】
0004720582.tif 000006
【図６】
0004720582.tif 000007
【図７】
0004720582.tif 000008
【図８】
0004720582.tif 000009
【図９】
0004720582.tif 000010
【図１０】
0004720582.tif 000011
【図１１】
0004720582.tif 000012
【図１２】
0004720582.tif 000013
【図１３】
0004720582.tif 000014
【図１４】
0004720582.tif 000015
【図１５】
0004720582.tif 000016